【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
画像データを印刷するための印刷制御システムにおいて、
画像データを蓄積しておくためのイメージサーバに蓄積された画像データを利用して画像データの出力を制御するための複数のプリントサーバと、
前記画像データの印刷注文を受信する受信手段と、
前記受信された印刷注文に前記プリントサーバの選択に関する指示情報が含まれているかどうか検知する検知手段と、
前記指示情報が含まれていないと検知されれば、プリントサーバの実行条件が満足されることをチェックして、前記画像データの印刷処理を実行するプリントサーバを複数のプリントサーバの中から１つ指定するプリントコントローラとを有し、
複数のパラメータを含む実行条件は、指示情報とは異なることを特徴とする印刷制御システム。
【請求項２】
前記画像データは前記イメージサーバ上に予め記憶されている小単位であるイメージタイルに分割されて伝送されることを特徴とする請求項１に記載の印刷制御システム。
【請求項３】
前記画像データは前記イメージサーバ上に予め記憶されている小単位であるイメージタイルに分割されており、それらを識別するＩＤ情報が伝送されることを特徴とする請求項１に記載の印刷制御システム。
【請求項４】
前記イメージサーバには、複数種の解像度で表わされる小単位であるイメージタイルに分割されて夫々記憶されていることを特徴とする請求項１に記載の印刷制御システム。
【請求項５】
適切なプリントサーバへ画像の出力を指示するためのプリントサーバ指定手段と、
ページ記述言語で表わされた情報を前記プリントサーバ指定手段により指定されたプリントサーバへ伝送するためのページ記述言語伝送手段を有することを特徴とする請求項１に記載の印刷制御システム。
【請求項６】
前記プリントサーバは、
前記プリントコントローラより伝送されたページ記述言語と、小細な単位に分割され前記イメージサーバより伝送されたイメージタイルを元に、出力するための画像を再合成するための画像合成手段と、
前記画像合成手段により合成された画像を出力するための画像出力手段を有することを特徴とする請求項５に記載の印刷制御システム。
【請求項７】
前記プリントコントローラは前記プリントサーバを選択する場合に、出力の依頼を行なったクライアントからの地理的な距離或は出力が実施されるプリントサーバの負荷状況により出力を完了するために要する時間或は出力画像に要求される解像度等の画像品質との適応性或は出力の画像内容に応じた出力装置（プリンタ）の機能、或は出力依頼者の意志などの諸条件に応じて、
適切なプリントサーバを判定するためのプリントサーバ指定手段を有することを特徴とする請求項１に記載の印刷制御システム。
【請求項８】
前記諸条件に対し優先順位を有することにより適切なプリントサーバを自動的に選択することを特徴とする請求項７に記載の印刷制御システム。
【請求項９】
前記印刷制御システムは、所望の画像の印刷を指示するクライアントを更に有しており、
前記クライアントは、前記ＩＤ情報を含むページ記述言語で表わされた情報を前記プリントコントローラに送信することを特徴とする請求項３に記載の印刷制御システム。
【請求項１０】
前記印刷制御システムは、所望の画像の印刷を指示するクライアントを更に有しており、
前記クライアントは、前記イメージサーバ上に予め記録されている複数種の解像度で表わされる小単位のイメージタイルを前記サーバから受けることを特徴とする請求項４に記載の印刷制御システム。
【請求項１１】
画像データを蓄積しておくためのイメージサーバに蓄積された画像データを利用して画像データの出力を制御するための複数のプリントサーバを選択する選択手段と、
前記選択手段によって選択される前記イメージサーバからの画像データを送信すべきプリントサーバの選択を各プリントサーバの選択を指示する情報とは異なる情報に基づいて行うべく前記選択を制御する選択制御手段と、を有したことを特徴とするプリントコントローラ。
【請求項１２】
画像データを蓄積しておくためのイメージサーバであって、
所望の画像の印刷を指示するクライアントからの指示に基づく印刷に先だって、前記イメージサーバに蓄積された画像データを利用して画像データの出力を制御するための複数のプリントサーバの内、プリントサーバの選択を指示する情報とは異なる情報に基づいて決定されたプリントサーバに前記所望の画像を送信する送信制御手段と、を有したことを特徴とするイメージサーバ。
【請求項１３】
所望の画像の印刷を指示する情報処理装置であって、
画像データの出力を制御するためのプリントサーバを直接指定するか、プリントサーバを選択するための条件を指定するかのどちらが選択されたかを判断する判断手段と、
前記判断手段によりプリントサーバを直接指定するように選択された場合に、画像データの出力を制御するプリントサーバを選択させる選択手段と、
前記判断手段によりプリントサーバを選択するための条件を指定するように選択された場合に、該条件を設定させる条件設定手段と、
前記選択手段により選択されたプリントサーバもしくは前記条件設定手段により設定された条件に基づいて、印刷オーダーを作成し、プリントコントローラに送信する印刷依頼手段と、を有することを特徴とする情報処理装置。
【請求項１４】
画像データを蓄積しておくためのイメージサーバに蓄積された画像データを利用して画像データの出力を制御するための複数のプリントサーバを選択するステップと、
前記選択される前記イメージサーバからの画像データを送信すべきプリントサーバの選択を各プリントサーバの選択を指示する情報とは異なる情報に基づいて行うべく前記選択を制御するステップと、を有したことを特徴とするプリントコントローラの制御方法。
【請求項１５】
画像データを蓄積しておくためのイメージサーバの制御方法であって、
所望の画像の印刷を指示するクライアントからの指示に基づく印刷に先だって、前記イメージサーバに蓄積された画像データを利用して画像データの出力を制御するための複数のプリントサーバの内、プリントサーバの選択を指示する情報とは異なる情報に基づいて決定されたプリントサーバに前記所望の画像を送信するステップと、を有したことを特徴とする制御方法。
【請求項１６】
所望の画像の印刷を指示する情報処理装置の制御方法であって、
画像データの出力を制御するためのプリントサーバを直接指定するか、プリントサーバを選択するための条件を指定するかのどちらが選択されたかを判断するステップと、
前記判断によりプリントサーバを直接指定するように選択された場合に、画像データの出力を制御するプリントサーバを選択させるステップと、
前記判断によりプリントサーバを選択するための条件を指定するように選択された場合に、該条件を設定させるステップと、
前記選択されたプリントサーバもしくは前記設定された条件に基づいて、印刷オーダーを作成し、プリントコントローラに送信するステップと、を有することを特徴とする制御方法。
【手続補正２】
【補正対象書類名】明細書
【補正対象項目名】０００１
【補正方法】変更
【補正の内容】
【０００１】
【発明の属する技術分野】
本発明は複数の出力装置を用いて画像情報を最適な装置において出力することができる印刷制御システム、プリントコントローラ、イメージサーバ、情報処理装置及びその制御方法に関する。


【手続補正３】
【補正対象書類名】明細書
【補正対象項目名】００１３
【補正方法】変更
【補正の内容】
【００１３】
即ち、画像データを印刷するための印刷制御システムにおいて、画像データを蓄積しておくためのイメージサーバに蓄積された画像データを利用して画像データの出力を制御するための複数のプリントサーバと、前記画像データの印刷注文を受信する受信手段と、前記受信された印刷注文に前記プリントサーバの選択に関する指示情報が含まれているかどうか検知する検知手段と、前記指示情報が含まれていないと検知されれば、プリントサーバの実行条件が満足されることをチェックして、前記画像データの印刷処理を実行するプリントサーバを複数のプリントサーバの中から１つ指定するプリントコントローラとを有し、複数のパラメータを含む実行条件は、指示情報とは異なることを特徴とする。


【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】